(57)【要約】【課題】液晶表示装置に関し、フレキシブルケーブルが外力を受けて剥がれるのを防止できるようにすることを目的とする。【解決手段】液晶表示装置１０は、液晶パネル１２と、フレキシブルケーブル３２と、照明手段１４と、液晶パネルと照明手段とを収容するユニットカバー１８とからなる。ユニットカバー１８は互いに結合される下カバー２０と上カバー２２とからなり、下カバーと上カバーの各々は下方壁と、側壁と、側壁から折り曲げられた壁部分とを有する。フレキシブルケーブル３２は下カバー２０の壁部分２０Ｃと上カバー２２の壁部分２２Ｃとの間を通ってユニットカバーの内部からユニットカバーの外部へ延び、下カバーの壁部分と上カバーの壁部分とによって挟持される構成とする。【選択図】　　　図３
2004045459.tif 000002
【特許請求の範囲】
【請求項１】
一対の基板の間に液晶を挿入してなる液晶パネルと、一方の基板に接続されたフレキシブルケーブルと、該液晶パネルを照明する照明手段と、該液晶パネルと該照明手段とを収容するユニットカバーとからなり、
該ユニットカバーは互いに結合される下カバーと上カバーとからなり、該下カバーは該一方の基板を支持する下方壁と、該下方壁の一側部に設けられた側壁と、該側壁から折り曲げられた壁部分とを有し、上カバーは上方壁と、該上方壁の一側部に設けられた側壁と、該側壁から折り曲げられ且つ該下カバーの壁部分と対向する壁部分とを有し、該フレキシブルケーブルは下カバーの該壁部分と上カバーの該壁部分との間を通って該ユニットカバーの内部から該ユニットカバーの外部へ延び、下カバーの該壁部分と上カバーの該壁部分とによって挟持されることを特徴とする液晶表示装置。
【請求項２】
一対の基板の間に液晶を挿入してなる液晶パネルと、一方の基板に接続されたフレキシブルケーブルと、該液晶パネルを照明する照明手段と、該液晶パネルと該照明手段とを収容するユニットカバーと、該ユニットカバー内にあって該フレキシブルケーブルを支持する支持手段とからなり、
該ユニットカバーは互いに結合される下カバーと上カバーとからなり、該下カバーは該一方の基板を支持する下方壁と、該下方壁の一側部に設けられた側壁とを有し、上カバーは上方壁と、該上方壁の一側部に設けられた側壁とを有し、該フレキシブルケーブルは下カバーの該側壁と上カバーの該側壁との間を通って該ユニットカバーの内部から該ユニットカバーの外部へ延び、前記支持手段により挟持されることを特徴とする液晶表示装置。
【請求項３】
該フレキシブルケーブルは下カバーの該壁部分に接着されることを特徴とする請求項１又は２に記載の液晶表示装置。
【請求項４】
該一方の基板は下カバーの該壁部分に当接することを特徴とする請求項１又は２に記載の液晶表示装置。
【請求項５】
液晶パネルを下カバーから剥がすために下方壁に少なくとも１つの穴を有することを特徴とする請求項１又は２に記載の液晶表示装置。
【請求項６】
一対の基板の間に液晶を挿入してなる液晶パネルと、一方の基板に接続されたフレキシブルケーブルと、該液晶パネルを照明する照明手段と、該液晶パネルと該照明手段とを収容するユニットカバーとからなり、
該ユニットカバーは互いに結合される下カバーと上カバーとからなり、該下カバーは該一方の基板を支持する下方壁と、該下方壁の一側部に設けられた側壁とを有し、上カバーは上方壁と、該上方壁の一側部に設けられた側壁とを有し、
該フレキシブルケーブルは、該一方の基板と略平行に延在し、下カバーの該側壁と上カバーの該側壁との間を通って該ユニットカバーの内部から該ユニットカバーの外部へ延び、下カバーの該壁部分と上カバーの該壁部分とによって挟持されることを特徴とする液晶表示装置。
【発明の詳細な説明】
【０００１】
【発明の属する技術分野】
本発明は液晶パネルがユニットカバーに収容された液晶表示装置に関する。
【０００２】
【従来の技術】
液晶パネルがユニットカバーに収容された液晶表示装置がある。例えば、図８に示される液晶表示装置１では、一対の基板の間に液晶を挟持してなる液晶パネル２、及び照明手段３が、ユニットカバー４に収容されている。ユニットカバー４は下カバー４Ｌと上カバー４Ｕとからなる。フレキシブルケーブル５の一端が一方の基板２ａに接着されている。フレキシブルケーブル５は下カバー４Ｌの端部と上カバー４Ｕの端部との間を通ってユニットカバー４の内部からユニットカバー４の外部へ延びる。フレキシブルケーブル５は下カバー４Ｌの丸く折り曲げられた端部に沿って湾曲しながら延びる。
【０００３】
【発明が解決しようとする課題】
フレキシブルケーブル５は図８に示されるように折り曲げて使用される場合が多い。フレキシブルケーブル５がこのように折り曲げて使用されるとき、フレキシブルケーブル５の折り曲げ部を中心として回転モーメント６が生じ、フレキシブルケーブル５の端部を一方の基板２ａから引き剥がそうとする力が発生する。しかし、従来のユニットカバー４はこのような作用に対する対策が施されていなかった。また、液晶パネル２がユニットカバー４の下カバー４Ｌに接着されている場合、液晶パネル２を修理するために液晶パネル２を下カバー４Ｌから引き剥がす必要があるが、下カバー４Ｌは４辺が折り曲げされているため、基板２ａと下カバー４Ｌの間に、工具を差し込むことができなかった。
【０００４】
本発明の目的は、フレキシブルケーブルが外力を受けて剥がれるのを防止できるようにした液晶表示装置を提供することである。
【０００５】
【課題を解決するための手段】
本発明による液晶表示装置は、一対の基板の間に液晶を挿入してなる液晶パネルと、一方の基板に接続されたフレキシブルケーブルと、該液晶パネルを照明する照明手段と、該液晶パネルと該照明手段とを収容するユニットカバーとからなり、該ユニットカバーは互いに結合される下カバーと上カバーとからなり、該下カバーは該一方の基板を支持する下方壁と、該下方壁の一側部に設けられた側壁と、該側壁から折り曲げられた壁部分とを有し、上カバーは上方壁と、該上方壁の一側部に設けられた側壁と、該側壁から折り曲げられ且つ該下カバーの壁部分と対向する壁部分とを有し、該フレキシブルケーブルは下カバーの該壁部分と上カバーの該壁部分との間を通って該ユニットカバーの内部から該ユニットカバーの外部へ延び、下カバーの該壁部分と上カバーの該壁部分とによって挟持されることを特徴とするものである。
【０００６】
この構成によれば、フレキシブルケーブルは該フレキシブルケーブルが設けられた一方の基板と平行に延びる下カバーの壁部分と上カバーの壁部分とによって挟持されるので、フレキシブルケーブルを一方の基板から引き剥がそうとする力が生じない。
【０００７】
また、本発明による液晶表示装置は、一対の基板の間に液晶を挿入してなる液晶パネルと、一方の基板に接続されたフレキシブルケーブルと、該液晶パネルを照明する照明手段と、該液晶パネルと該照明手段とを収容するユニットカバーと、該ユニットカバー内にあって該フレキシブルケーブルを支持する支持手段とからなり、該ユニットカバーは互いに結合される下カバーと上カバーとからなり、該下カバーは該一方の基板を支持する下方壁と、該下方壁の一側部に設けられた側壁とを有し、上カバーは上方壁と、該上方壁の一側部に設けられた側壁とを有し、該フレキシブルケーブルは下カバーの該側壁と上カバーの該側壁との間を通って該ユニットカバーの内部から該ユニットカバーの外部へ延び、前記支持手段により挟持されることを特徴とする。
【０００８】
この構成によれば、フレキシブルケーブルはユニットカバー内にあってフレキシブルケーブルを一方の基板と平行な姿勢で支持する支持手段によって支持されるので、フレキシブルケーブルを一方の基板から引き剥がそうとする力が生じない。
【０００９】
【発明の実施の形態】
以下本発明の実施例について図面を参照して説明する。
【００１０】
図１は本発明の実施例による液晶表示装置を示す分解斜視図である。図２は図１の液晶パネルを示す略断面図である。図３は図１の線　ＩＩＩＡ−　ＩＩＩＡ及び線　ＩＩＩＢ−　ＩＩＩＢに沿った液晶表示装置の一部を示す断面図である。
【００１１】
液晶表示装置１０は、液晶パネル１２と、照明装置１４と、偏光板１６と、液晶パネル１２及び照明装置１４を収容するユニットカバー１８とからなる。ユニットカバー１８は下カバー２０と上カバー２２とからなる。下カバー２０及び上カバー２２は互いに向かって延びる側壁を有し、下カバー２０と上カバー２２はそれらの側壁によって互いに嵌合して固定される。ユニットカバー１８の３側部において下カバー２０と上カバー２２は互いに嵌合され、ユニットカバー１８の１側部においてフレキシブルケーブル３２がユニットカバー１８の内部からユニットカバー１８の外部へ延びる。
【００１２】
液晶パネル１２は、画素電極が配設された画素電極基板２４と、画素電極基板２４に対向して配置され、共通電極が形成された対向電極基板２６と、これらの基板の間に挿入された液晶２８と、反射層３０とからなる（図２）。偏光板１６が照明装置１４と液晶パネル１２との間に配置される。
【００１３】
照明装置１４は、ランプ１４ａと、リフレクタ１４ｂと、導光板１４ｃとからなる（図３）。導光板１４ｃの表面には微小なプリズムが形成されており、ランプ１４ａから導光板１４ｃの側面に入射した光が導光板１４ｃの表面のプリズムで反射して液晶パネル１２へ向かう。液晶パネル１２を透過した光は反射層３０で反射し、液晶パネル１２を再び透過して、上カバー２２の表示部へ向かう。この液晶表示装置１０は例えば携帯電話機やＰＤＡ等で使用される。
【００１４】
フレキシブルケーブル３２が画素電極基板２４に接続される。フレキシブルケーブル３２の一端部が異方性導電性樹脂３４により画素電極基板２４に熱圧着される。フレキシブルケーブル３２はユニットカバー１８の内部からユニットカバー１８の外部へ延び、フレキシブルケーブル３２の他端部は図示しない電気回路に接続される。
【００１５】
図３に示されるように、ユニットカバー１８の下カバー２０は、画素電極基板２４を支持する下方壁２０Ａと、下方壁２０Ａの一側部に設けられた側壁２０Ｂと、側壁２０Ｂから折り曲げられた壁部分２０Ｃとを有する。下方壁２０Ａの端部領域と、側壁２０Ｂと、壁部分２０Ｃとは横に倒したＵ字形状を形成する。壁部分２０Ｃは画素電極基板２４と平行に延びる。
【００１６】
下カバー２２の壁部分２０Ｃの上面と下方壁２０Ａの下面との間の距離Ｃは、画素電極基板２４の上面と下方壁２０Ａの下面との間の距離Ｄとほぼ等しい。
【００１７】
上カバー２２は上方壁２２Ａと、上方壁２２Ａの一側部に設けられた側壁２２Ｂと、側壁２２Ｂから折り曲げられ且つ下カバー２０の壁部分２０Ｃと対向する壁部分２２Ｃとを有する。下カバー２０の壁部分２０Ｃ及び上カバー２２の壁部分２２Ｃは画素電極基板２４と平行に延びる。
【００１８】
フレキシブルケーブル３２は下カバー２０の壁部分２０Ｃと上カバー２２の壁部分２２Ｃとの間を通ってユニットカバー１８の内部からユニットカバー１８の外部へ延び、下カバー２０の壁部分２０Ｃと上カバー２２の壁部分２２Ｃとによって挟持される。従って、フレキシブルケーブル３２は、画素電極基板２４へ接着された接着部分と、壁部分２０Ｃと壁部分２２Ｃとによって挟持された挟持部分との間で実質的に平坦な姿勢に維持される。フレキシブルケーブル３２はユニットカバー１８の外部において自由に曲げられる。
【００１９】
フレキシブルケーブル３２は、壁部分２０Ｃと壁部分２２Ｃとによって挟持されているので、フレキシブルケーブル３２をユニットカバー１８の外部において曲げても、あるいは図４の矢印４０のように引っ張ったり押し込んだりしても、フレキシブルケーブル３２の画素電極基板２４への接着部分には力がかからない。従って、フレキシブルケーブル３２の画素電極基板２４からの剥離が防止される。好ましくは、フレキシブルケーブル３２は下カバー２０の壁部分２０Ｃに接着剤３６によって接着され、よってフレキシブルケーブル３２が下カバー２０の壁部分２０Ｃに確実に保持される。
【００２０】
また、画素電極基板２４は下カバー２０の壁部分２０Ｃに当接するように配置される。これによって、液晶パネル１２の位置決めが容易になり、組立工数が低減可能である。また、下カバー２０の下方壁２０Ａは１つの穴３８又は複数の穴３８を有する。液晶パネル１２の画素電極基板２４は接着剤又は両面接着テープによって下カバー２０の下方壁２０Ａに接着されており、液晶パネル１２を修理するために液晶パネル１２を下カバー２０から引き剥がす際に、工具を穴３８に挿入して液晶パネル１２を押し上げることが容易になる。
【００２１】
図４から図６は図３の液晶表示装置の変形例を示す断面図である。図４においては、下カバー２０の壁部分２０Ｃは側壁２０Ｂから内向きに曲げられているが、上カバー２２の壁部分２２Ｃは側壁２２Ｂから外向きに曲げられている。しかし、下カバー２０の壁部分２０Ｃと上カバー２２の壁部分２２Ｃとは互いに対向し、フレキシブルケーブル３２は下カバー２０の壁部分２０Ｃと上カバー２２の壁部分２２Ｃとの間で挟持される。フレキシブルケーブル３２がユニットカバー１８の外部において矢印４０で示される方向の力を受けても、フレキシブルケーブル３２はユニットカバー１８の内部において画素電極基板２４との接着部分がずれないようになっている。
【００２２】
図５においては、下カバー２０の壁部分２０Ｃは側壁２０Ｂから外向きに曲げられ、先端部がさらに曲げられているが、上カバー２２の壁部分２２Ｃは側壁２２Ｂから内向きに曲げられている。しかし、下カバー２０の壁部分２０Ｃと上カバー２２の壁部分２２Ｃとは互いに対向し、フレキシブルケーブル３２は下カバー２０の壁部分２０Ｃと上カバー２２の壁部分２２Ｃとの間で挟持される。
【００２３】
図６においては、下カバー２０の壁部分２０Ｃは側壁２０Ｂから外向きに曲げられ、先端部がさらに曲げられているが、上カバー２２の壁部分２２Ｃは側壁２２Ｂから外向きに曲げられている。しかし、下カバー２０の壁部分２０Ｃと上カバー２２の壁部分２２Ｃとは互いに対向し、フレキシブルケーブル３２は下カバー２０の壁部分２０Ｃと上カバー２２の壁部分２２Ｃとの間で挟持される。
【００２４】
図７は本発明の第２実施例の液晶表示装置を示す断面図である。前の例と同様に、この実施例の液晶表示装置１０は、液晶パネル１２と、照明装置１４と、液晶パネル１２及び照明装置１４を収容するユニットカバー１８とからなる。ユニットカバー１８は下カバー２０と上カバー２２とからなる。下カバー２０及び上カバー２２は互いに向かって延びる側壁を有し、下カバー２０と上カバー２２はそれらの側壁によって互いに嵌合して固定される。ユニットカバー１８の３側部において下カバー２０と上カバー２２は互いに嵌合され、ユニットカバー１８の１側部においてフレキシブルケーブル３２がユニットカバー１８の内部からユニットカバー１８の外部へ延びる。フレキシブルケーブル３２の一端部が異方性導電性樹脂３４により画素電極基板２４に熱圧着される。
【００２５】
ユニットカバー１８の下カバー２０は、画素電極基板２４を支持する下方壁２０Ａと、下方壁２０Ａの一側部に設けられた側壁２０Ｂとを有する。上カバー２２は上方壁２２Ａと、上方壁２２Ａの一側部に設けられた側壁２２Ｂとを有する。フレキシブルケーブル３２は下カバー２０の側壁２０Ｂと上カバー２２の側壁２２Ｂとの間を通ってユニットカバー１８の内部からユニットカバー１８の外部へ延びる。
【００２６】
この実施例においては、可撓性のスペーサ（支持部材）４２，４４がユニットカバー１８内に配置される。可撓性のスペーサ４２は下カバー２０に保持され、可撓性のスペーサ４４は上カバー２２に保持される。フレキシブルケーブル３２は可撓性のスペーサ４２，４４の間を通り、可撓性のスペーサ４２，４４によって画素電極基板２４と平行な姿勢で支持される。フレキシブルケーブル３２は可撓性のスペーサ４２に接着剤３６によって接着され、よってフレキシブルケーブル３２が下カバー２０の壁部分２０Ｃに確実に保持される。
【００２７】
この実施例においても、フレキシブルケーブル３２に力を加えても、フレキシブルケーブル３２の画素電極基板２４への接着部分には力がかからない。好ましくは、フレキシブルケーブル３２は可撓性のスペーサ４２に接着剤４０によって接着される。従って、フレキシブルケーブル３２の画素電極基板２４からの剥離が防止される。
【００２８】
【発明の効果】
以上説明したように、本発明によれば、フレキシブルケーブルが外力を受けて剥がれるのを防止できる。
【図面の簡単な説明】
【図１】本発明の１実施例による液晶表示装置を示す分解斜視図である。
【図２】図１の液晶パネルを示す略断面図である。
【図３】図１の線　ＩＩＩＡ−　ＩＩＩＡ及び線　ＩＩＩＢ−　ＩＩＩＢに沿った液晶表示装置の一部を示す断面図である。
【図４】図３の液晶表示装置の変形例を示す断面図である。
【図５】図３の液晶表示装置の変形例を示す断面図である。
【図６】図３の液晶表示装置の変形例を示す断面図である。
【図７】本発明の１実施例による液晶表示装置を示す断面図である。
【図８】従来の液晶表示装置を示す断面図である。
【符号の説明】
１０…液晶表示装置
１２…液晶パネル
１４…照明装置
１８…ユニットカバー
２０…下カバー
２２…上カバー
２４…画素電極基板
２６…対向電極基板
２８…液晶
３０…反射板
３２…フレキシブルケーブル
３８…穴
４２…可撓性のスペーサ
４４…可撓性のスペーサ
【図１】
2004045459.tif 000003
【図２】
2004045459.tif 000004
【図３】
2004045459.tif 000005
【図４】
2004045459.tif 000006
【図５】
2004045459.tif 000007
【図６】
2004045459.tif 000008
【図７】
2004045459.tif 000009
【図８】
2004045459.tif 000010